(57)【特許請求の範囲】
【請求項１】
検査オーダをネットワーク経由で入力する第一の検査オーダ入力手段と、
検査オーダをファイル経由で入力する第二の検査オーダ入力手段と、
検査オーダの検査リストを記憶する検査オーダ記憶手段と、
前記第一の検査オーダ入力手段から前記検査オーダが入力された場合、前記記憶されている検査リストを削除してから、入力された前記検査オーダによる検査リストを作成し、前記第二の検査オーダ入力手段から前記検査オーダが入力された場合、前記記憶されている検査リストに、入力された前記検査オーダを追加する検査オーダ管理手段と、を有する医療用検査装置。
【請求項２】
前記検査オーダ管理手段は、入力された前記検査オーダにＤＩＣＯＭ情報が含まれる場合は前記検査オーダ記憶手段に記憶されている検査リストを削除してから、ＤＩＣＯＭ情報が含まれる検査オーダを取り込み、入力された前記検査オーダにＤＩＣＯＭ情報が含まれていない場合は前記検査オーダ記憶手段に記憶されている検査リストを保持したままＤＩＣＯＭ情報が含まれていない検査オーダを追加するように制御することを特徴とする、請求項１に記載の医療用検査装置。
【請求項３】
更に、前記検査オーダが入力された際に前記記憶手段に記憶されている検査リストを削除してから取り込むか、追加で取り込むかの設定を行う検査オーダ更新方法設定手段を有することを特徴とする、請求項１に記載の医療用検査装置。
【請求項４】
更に、前記検査オーダ管理手段によって検査オーダが追加される場合は、追加される検査オーダと前記検査オーダ記憶手段に記憶されている検査オーダを比較する検査オーダ比較手段と、
該検査オーダ比較手段による比較の結果、同じ検査オーダが存在すると判断された場合には前記検査オーダ記憶手段に記憶されている検査オーダから同じ検査オーダを削除する重複検査オーダ削除手段と、を有することを特徴とする請求項１に記載の医療用検査装置。
【請求項５】
更に、前記記憶手段に記憶されている検査リストを削除する場合には削除する旨をユーザに通知する検査オーダ削除確認手段と、を有することを特徴とする請求項１に記載の医療用検査装置。
【請求項６】
検査オーダをネットワーク経由で入力する第一の検査オーダ入力工程と、
検査オーダをファイル経由で入力する第二の検査オーダ入力工程と、
検査オーダの検査リストを検査オーダ記憶部が記憶する検査オーダ記憶工程と、
前記第一の検査オーダ入力工程で前記検査オーダが入力された場合、制御部は前記記憶されている検査リストを削除してから入力された前記検査オーダによる検査リストを作成し、前記第二の検査オーダ入力工程で前記検査オーダが入力された場合、前記制御部は前記記憶されている検査リストに入力された前記検査オーダを追加する検査オーダ管理工程と、を有する医療用検査システムを用いた医療用検査方法。
【請求項７】
コンピュータを、
検査オーダをネットワーク経由で入力する第一の検査オーダ入力手段と、
検査オーダをファイル経由で入力する第二の検査オーダ入力手段と、
検査オーダの検査リストを記憶する検査オーダ記憶手段と、
前記第一の検査オーダ入力手段から前記検査オーダが入力された場合、前記記憶されている検査リストを削除してから入力された前記検査オーダによる検査リストを作成し、前記第二の検査オーダ入力手段から前記検査オーダが入力された場合、前記記憶されている検査リストに入力された前記検査オーダを追加する検査オーダ管理手段と、を有する医療用検査装置として機能させるためのコンピュータ読み取り可能なコンピュータプログラム。
【請求項８】
検査オーダをネットワーク経由で入力する第一の検査オーダ入力手段と、
検査オーダをネットワーク経由以外で入力する第二の検査オーダ入力手段と、
検査オーダの検査リストを記憶する検査オーダ記憶手段と、
前記第一の検査オーダ入力手段から前記検査オーダが入力された場合、前記記憶されている検査リストを削除してから、入力された前記検査オーダによる検査リストを作成し、前記第二の検査オーダ入力手段から前記検査オーダが入力された場合、前記記憶されている検査リストに、入力された前記検査オーダを追加する検査オーダ管理手段と、を有する医療用検査装置。
【請求項９】
検査オーダをネットワーク経由で入力する第一の検査オーダ入力工程と、
検査オーダをネットワーク経由以外で入力する第二の検査オーダ入力工程と、
検査オーダの検査リストを検査オーダ記憶部に記憶させる検査オーダ記憶工程と、
前記第一の検査オーダ入力工程で前記検査オーダが入力された場合、制御部は前記記憶されている検査リストを削除してから入力された前記検査オーダによる検査リストを作成し、前記第二の検査オーダ入力工程で前記検査オーダが入力された場合、前記制御部は前記記憶されている検査リストに入力された前記検査オーダを追加する検査オーダ管理工程と、を有する医療用検査システムを用いた医療用検査方法。
【請求項１０】
コンピュータを、
検査オーダをネットワーク経由で入力する第一の検査オーダ入力手段と、
検査オーダをネットワーク経由以外で入力する第二の検査オーダ入力手段と、
検査オーダの検査リストを記憶する検査オーダ記憶手段と、
前記第一の検査オーダ入力手段から前記検査オーダが入力された場合、前記記憶されている検査リストを削除してから入力された前記検査オーダによる検査リストを作成し、前記第二の検査オーダ入力手段から前記検査オーダが入力された場合、前記記憶されている検査リストに入力された前記検査オーダを追加する検査オーダ管理手段と、を有する医療用検査装置として機能させるためのコンピュータ読み取り可能なコンピュータプログラム。
【発明の詳細な説明】
【技術分野】
【０００１】
本発明は、検査情報の処理を行う医療用検査装置に関するものである。
【背景技術】
【０００２】
近年、病院では、ネットワーク接続による病院情報システムが構築されている。例えば、患者のＸ線撮影が必要と判断されると、ＨＩＳ（Ｈｏｓｐｉｔａｌ  Ｉｎｆｏｒｍａｔｉｏｎ  Ｓｙｓｔｅｍ）端末より検査指示の入力が行われ、依頼先である放射線部門に検査指示が伝達される。
【０００３】
この検査指示の情報もしくは依頼情報は、検査オーダと一般に言われている。この検査オーダには依頼元の部門名や、検査項目、患者の個人データなどの情報が含まれている。
【０００４】
放射線部門に検査オーダが受信された後、放射線技師は検査オーダに撮影条件などを付加し、Ｘ線検査システムへ転送する。Ｘ線検査システムでは受信した検査オーダに従ってＸ線撮影を実施する。撮影された画像は検査情報に付与し、ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍｓ）への転送やプリント出力が行われる。尚、撮影された画像は、部位ごとにあらかじめ定められた画像処理を施され表示される。
【０００５】
検査情報の入力はＲＩＳを経由して入力する以外にも、共有フォルダや外部メモリに置かれたファイルを経由して入力する場合がある。ＲＩＳを用いた運用では、検査オーダの進捗管理をＲＩＳ側で行うことができるため、リストの更新時にはＸ線検査システムは既存の検査リストを破棄して再取得することが多い。
【０００６】
これに対し、ファイルを用いた運用では、差分の検査情報のみをやり取りすることが多いため、受信済みのリストをＸ線検査システム側で保持しておく必要があることがある。
【先行技術文献】
【特許文献】
【０００７】
【特許文献１】特開２００６−８１７６１号公報
【発明の概要】
【発明が解決しようとする課題】
【０００８】
既存の検査オーダリストに検査を追加する方法が、特許文献１に開示されている。特許文献１に開示されている方法は、ユーザ指示に基づき追加すべき検査情報を逐一設定する。
【０００９】
しかしながら、特許文献１に開示されている方法では、逐一設定であるため、多くの検査情報の追加する際にはユーザ負荷が大きくなる。一方で、既存の検査リストを破棄して、新規の検査リストを取得する方法では、検査リストの柔軟な運用が困難である。
【００１０】
本発明は、上記課題を鑑みてなされたものであり、ユーザ負荷を軽減しつつ、運用状況に適した検査情報の管理を行うことを目的とする。
【課題を解決するための手段】
【００１１】
本発明の医療用検査装置は、上記課題を鑑みてなされたものであり、検査オーダをネットワーク経由で入力する第一の検査オーダ入力手段と、検査オーダをファイル経由で入力する第二の検査オーダ入力手段と、検査オーダの検査リストを記憶する検査オーダ記憶手段と、前記第一の検査オーダ入力手段から前記検査オーダが入力された場合、前記記憶されている検査リストを削除してから入力された前記検査オーダによる検査リストを作成し、前記第二の検査オーダ入力手段から前記検査オーダが入力された場合、前記記憶されている検査リストに入力された前記検査オーダを追加する検査オーダ管理手段と、を有する。
【発明の効果】
【００１２】
本発明によれば、ユーザ負荷を軽減しつつ、運用状況に適した検査情報の管理を行うことが出来る。
【図面の簡単な説明】
【００１３】
【図１】本実施形態に関わる医療用検査システムの装置構成図である
【図２】本システムの第一の実施形態のＸ線撮影装置制御部の構成図である
【図３】第一の実施形態におけるフローチャートである
【図４】予約検査リストの画面例である
【図５】更新前の予約検査リストの画面例である
【図６】ＲＩＳによる検査リストの更新を行った際の画面例である
【図７】ファイルによる検査リストの更新を行った際の画面例である
【図８】検査リスト管理に関する設定画面の例である
【図９】本システムの第二の実施形態のＸ線撮影装置制御部の構成図である
【図１０】第二の実施形態におけるフローチャートである
【図１１】検査オーダの削除を確認する画面例である
【図１２】重複する検査オーダがある場合の更新前の画面例である
【図１３】重複する検査オーダがある場合の更新後の画面例である
【図１４】入力方法を選択する画面例である
【図１５】検査リストに管理方法を選択する画面例である
【発明を実施するための形態】
【００１４】
（第一の実施形態）
図１は、本発明の実施の形態を示し、医療用検査システムの機能構成の一例を示すブロック図である。
【００１５】
Ｘ線撮影装置１０６は、Ｘ線を照射するＸ線管球１０２、Ｘ線管球１０２を制御するＸ線発生装置制御部１０３、センサ１００から成るセンサユニット１０１、Ｘ線撮影を制御するＸ線撮影装置制御部１０４で構成される。１０５はＸ線撮影装置１０６の表示部であり、検査情報や撮影画像を表示する。また、１０５はＸ線撮影装置１０６の操作入力部であり、検査情報の入力や、画像処理の操作、検査進行指示等を行う。更に１０５は、磁気カードやバーコードリーダー等の外部装置の入力を含む。
【００１６】
Ｘ線撮影装置制御部１０４は、ＲＩＳ  １０８から受信した検査オーダ、もしくは操作者が操作入力部１０５により入力した検査オーダを表示部１０５に表示し、選択された撮影プロトコルに応じた、管電流や管電圧、照射時間等の撮影条件をＸ線発生装置制御部１０３へ送る。Ｘ線発生装置制御部１０３は、照射ボタンが押されると撮影条件に応じてＸ線管球１０２に高電圧をかけ、Ｘ線を発生させる。センサユニット１０１は、センサ１００で検出された被検者の透過Ｘ線量に相当する電荷をＡ／Ｄ変換し、Ｘ線デジタル画像としてＸ線撮影装置制御部１０４へ転送する。Ｘ線撮影装置制御部１０４は、受信したＸ線デジタル画像に対し、操作者が選択した撮影プロトコルに紐づく画像処理パラメータに基づいて、様々な補正処理や画像処理を施す。そして、画像処理後のＸ線デジタル画像をＰＡＣＳ  １０９へ保存すると共に、Ｖｉｅｗｅｒ１１０やプリンタ１１１に出力し、診断が行われる。
【００１７】
本発明は、図１に示すようなＸ線撮影システム  に適用される。この、Ｘ線撮影システムは、Ｘ線デジタル画像を撮影するＸ線撮影装置１０６を備える。更に、放射線部門内の情報システムであるＲＩＳ  １０８、Ｘ線撮影装置１０６で撮影したＸ線デジタル画像を保存・管理するＰＡＣＳ  １０９、診断用Ｘ線デジタル画像を表示するＶｉｅｗｅｒ  １１０やプリンタ  １１１を備え、ネットワーク１０７で接続される。
【００１８】
図２は、実施形態１における図１のＸ線撮影装置制御部の詳細を記したブロック図の一例である。
【００１９】
２０１は、第一の検査オーダ入力手段として機能し、検査オーダを入力する検査オーダ入力部１である。検査オーダは撮影する患者情報と撮影内容から構成される。検査オーダ入力部１ではＲＩＳなどの外部システムからネットワーク経由で入力される。
【００２０】
２０２は、第二の検査オーダ入力手段として機能し、検査オーダを入力する検査オーダ入力部２である。検査オーダ入力部２では共有フォルダや外部メモリからファイル経由で検査情報を入力する。
【００２１】
２０３は検査オーダ入力部１または検査オーダ入力部２を通じて入力された新規検査を記憶する新規検査オーダ記憶部である。新規検査を記憶しておくことでオフライン状態になった場合でも入力された検査オーダを利用することができる。
【００２２】
２０４は、検査オーダ管理手段として機能し、検査オーダを管理する検査オーダ管理部である。検査オーダが検査オーダ入力部１から入力される場合は、検査オーダ記憶部に記憶されている検査をいったんクリアしてから受信した検査情報を追加する。検査オーダ入力部２から検査オーダが入力された場合は、検査オーダ記憶部の検査情報を保持したまま、新たに読み込んだ検査情報を追加する。尚、検査オーダ管理手段は以下の各手段の機能を備えても良い。
【００２３】
例えば、デフォルトの設定では上記説明の通りの処理を行うが、不図示の検査オーダ更新方法設定手段を機能させ、検査オーダを追加して取り込むか、元の検査リストを削除して取り込むかを選択してもよい。また、検査オーダを取り込む場合には、不図示の検査オーダ比較手段を機能させ、取り込む際に、重複している検査オーダが存在するか否かを比較により判定してもよい。比較の結果、重複している検査オーダが存在する場合、不図示の重複検査オーダ削除手段を機能させ、重複している同じ検査オーダを削除してもよい。また、重複検査オーダ削除手段で重複している検査オーダを削除する場合、ユーザに削除する旨の通知確認を行う不図示の検査オーダ削除確認手段を機能させてもよい。
【００２４】
２０５は、ＣＲＴや液晶モニターなどの表示装置に、放射線画像や検査情報を表示する表示部である。検査オーダ記憶部２０３に記憶された検査オーダもここに表示される。
【００２５】
２０６は、表示部２０５に表示された放射線画像や検査オーダに対して、検査の開始や保留、終了などの指示を行うマウスやキーボードなどの操作入力部である。
【００２６】
２０７は、デジタルＸ線撮影装置で撮影された放射線画像を医療用検査システムへ入力する画像入力部である。ネットワークを介して入力される場合やＣＤ−ＲＯＭやＤＶＤなどのメディアを経由して入力される場合もある。
【００２７】
２０８は、入力された放射線画像をハードディスクなどの記録装置に保持する画像保持部である。
【００２８】
２０９は、画像や検査情報御を外部に転送するための検査情報出力部である。
【００２９】
２１０は、各部２０１〜２０９を相互に接続するシステムバスである。
【００３０】
次に、図３に示すフローチャートを用いて、本実施形態における医療用検査システムの動作について具体的に説明する。
【００３１】
図３において、ステップＳ３０１では、ＲＩＳ経由で検査入力を行うかファイル経由で検査入力を行うか検査入力方法の指示を行う。
【００３２】
ステップＳ３０２では検査入力方法がＲＩＳかどうか確認する。ＲＩＳが指定された場合、ステップＳ３０３でＲＩＳから検査オーダの受信を行う。その後、ステップＳ３０４で内部に保持していた検査オーダリストを全削除し、ステップＳ３０６へ進む。
【００３３】
ステップＳ３０２で検査入力方法がＲＩＳでないと判断されるとステップＳ３０５へ進み、ファイル経由で検査オーダを受信する。その後、ステップＳ３０６へ進み内部の検査オーダリストへ受信した検査オーダを登録する。
【００３４】
ステップＳ３０７では内部の検査オーダリストを表示する。
【００３５】
ステップＳ３０８では検査オーダの選択を行い、ステップＳ３０９の検査開始指示によって検査を開始する。
【００３６】
図４は、実施予定の検査一覧の例である。実施予定検査表示画面４０１には、各種設定を切り替えるシステムボタン４０２が画面上部に配置されている。
【００３７】
検査リスト４０４には実施予定の検査情報が一覧表示されており、検索領域４０３で値を入力することで自動的に絞り込むことが出来る。
【００３８】
検査リスト上の検査を選択すると、選択された検査情報が患者情報表示部４０５と検査情報表示部４０６に表示される。
【００３９】
更新４０７ボタンを押下すると、検査リストに表示されている検査オーダが更新される。更新方法は設定により切り替えることができ、ＲＩＳ経由かファイル経由のどちらかを選択できる。検査開始ボタン４０８を押下すると選択した検査を開始することが出来る。
【００４０】
図５は、検査リストにＲＩＳから受信した検査情報が一覧表示５０１されている例である。更新ボタン５０２を押下することで、ＲＩＳから検査オーダを取得することができる。
【００４１】
図６は、図５に示す状態から更新ボタンを押下してＲＩＳから検査オーダを再取得したときの画面例である。図５の画面で表示されていた検査オーダはクリアされ、新たに取得した検査オーダのみが検査リスト６０１に表示される。
【００４２】
図７は、検査リストにファイルから受信した検査情報が一覧表示されている状態で、更新ボタンを押下したときの画面例である。新たにファイル経由で受信した検査オーダの情報が元々表示されていた検査オーダリスト７０１に追加されて表示される。その時、追加された検査が識別できるように状態欄に追加とわかる表示７０２を行う。
【００４３】
図８は、検査リストをＲＩＳとファイルのどちらから受信するか選択する設定画面８０１である。検査情報取得先としてＲＩＳ  ８０２とファイル  ８０３の選択肢が設けられ、ＲＩＳを選んだ場合はＩＰアドレス８０４、ＡＥ  ＴＩＴＬＥ８０５、ポート番号  ８０６の設定を行う。変更内容で確定する場合はＯＫボタン８０８、キャンセルする場合はキャンセルボタン８０７を押下する。
【００４４】
（第二の実施形態）
図９は、実施形態２における図１のＸ線撮影装置制御部の詳細を記したブロック図の一例である。
【００４５】
９０１は検査オーダを入力する検査オーダ入力部１である。検査オーダは撮影する患者情報と撮影内容から構成される。検査オーダ入力部１ではＲＩＳなどの外部システムからネットワーク経由で入力される。
【００４６】
９０２は検査オーダを入力する検査オーダ入力部２である。検査オーダ入力部２では共有フォルダや外部メモリからファイル経由で検査情報を入力する。
【００４７】
９０３は検査オーダ入力部１または検査オーダ入力部２を通じて入力された新規検査を記憶する新規検査オーダ記憶部である。新規検査を記憶しておくことでオフライン状態になった場合でも入力された検査オーダを利用することができる。
【００４８】
９０４は検査オーダを管理する検査オーダ管理部である。入力された検査オーダにＤＩＣＯＭ情報が含まれている場合は、検査オーダ記憶部に記憶されている検査をいったんクリアしてから受信した検査情報を追加する。検査オーダにＤＩＣＯＭ情報が含まれていない場合は、検査オーダ記憶部の検査情報を保持したまま、新たに読み込んだ検査情報を追加する。
【００４９】
また、追加に際して、検査情報比較部９１０を用いて同一検査が検査オーダ記憶部にあるかどうか判断し、同じ検査情報があった場合は、先に検査オーダ記憶部から重複する検査オーダを削除し、検査情報を追加する。
【００５０】
９０５は、ＣＲＴや液晶モニターなどの表示装置に、放射線画像や検査情報を表示する表示部である。検査オーダ記憶部９０３に記憶された検査オーダもここに表示される。
【００５１】
９０６は、表示部９０５に表示された放射線画像や検査オーダに対して、検査の開始や保留、終了などの指示を行うマウスやキーボードなどの操作入力部である。
【００５２】
９０７は、デジタルＸ線撮影装置で撮影された放射線画像を医療用検査システムへ入力する画像入力部である。ネットワークを介して入力される場合やＣＤ−ＲＯＭやＤＶＤなどのメディアを経由して入力される場合もある。
【００５３】
９０８は、入力された放射線画像をハードディスクなどの記録装置に保持する画像保持部である。
【００５４】
９０９は、画像や検査情報御を外部に転送するための検査情報出力部である。
【００５５】
９１１は、各部９０１〜９１０を相互に接続するシステムバスである。
次に、図１０に示すフローチャートを用いて、本実施の形態２における医療用検査システムの動作について具体的に説明する。
【００５６】
図３において、ステップＳ１００１では、ＲＩＳ経由で検査入力を行うかファイル経由で検査入力を行うか検査入力方法の指示を行う。
【００５７】
ステップＳ１００２では検査入力方法がＲＩＳかどうか確認する。ＲＩＳが指定された場合、ステップＳ１００３でＲＩＳから検査オーダの受信を行う。
【００５８】
ステップＳ１００２で検査入力方法がＲＩＳでないと判断されるとステップＳ１００４へ進み、ファイル経由で検査オーダを受信する。
【００５９】
その後、ステップＳ１００５で入力された検査オーダがＤＩＣＯＭ情報を含むかどうか判断する。ＤＩＣＯＭ情報を含む場合には、ステップＳ１００６で既存の検査リストを削除してよいかＧＵＩを通じてユーザに確認する。ステップＳ１００７で確認結果を判断し削除してよいとユーザが確認した場合はステップＳ１００８で内部に保持していた検査オーダリストを全削除し、ステップＳ１０１２へ進む。ステップＳ１００７で削除の確認が取れなかった場合は処理を終了する。
【００６０】
ステップＳ１００５でＤＩＣＯＭ情報は含まないと判断された場合はステップＳ１００９へ進み内部で保持していた検査オーダリストとファイル経由で受信した検査オーダを比較する。ステップＳ１０１０でステップＳ１００９の比較の結果、内部の検査オーダリストにファイル経由で受信した検査オーダと同じ検査ＩＤを持つものが存在すると判断された場合、ステップＳ１０１１で内部の検査オーダリストから該当検査を削除する。その後、ステップＳ１０１２へ進み内部の検査オーダリストへ受信した検査オーダを登録する。
【００６１】
ステップＳ１０１３では内部の検査オーダリストを表示する。
【００６２】
ステップＳ１０１４では検査オーダの選択を行い、ステップＳ１０１５の検査開始指示によって検査を開始する。
【００６３】
図１１は、検査リストを更新する際に、既存の検査リストをクリアすることを確認するダイアログ１１０１である。ＯＫボタン１１０３が押下されると既存の検査リストのクリアを行って検査リストを受信する。キャンセルボタン１１０２が押下されると既存の検査リストはクリアせず、検査リストの受信も行わない。
【００６４】
図１２は、検査リストにファイルから受信した検査情報が一覧表示１２０１されている状態を示す例である。リストの先頭１２０２には検査ＩＤ：Ａ２００１５３の検査オーダが表示されている。
【００６５】
図１３は図１２の状態からファイル経由で一行目と同一の検査オーダの入力が行われた場合の画面例である。
【００６６】
入力される情報にはＤＩＣＯＭ情報を含まないため、検査リスト１３０１には既存リストのオーダはそのまま保持される。ただし、新たに入力された検査と同じ検査情報が既存リストに存在したため、既存リストの情報は削除された後、新たに検査オーダが追加されている。そのため、検査日付１３０３やプロトコル数１３０４は更新されている。その時、追加された検査が識別できるように状態欄に追加とわかる表示１３０２を行う。
【００６７】
このように、同じ検査ＩＤを持つものが入力されると後から入力された情報で上書きされる。同じ検査と識別する情報として検査ＩＤ以外にも患者ＩＤや受付番号を用いることが考えられる。
【００６８】
（他の実施形態）
これまで挙げた実施形態ではあらかじめ検査オーダの取得先を設定によって決めていた。しかし、更新を実行したタイミングで選択することも考えられる。図１４は、検査リストをＲＩＳとファイルのどちらから受信するか選択する選択画面１４０１である。検査情報取得先としてＲＩＳを用いたい場合はＲＩＳボタン  １４０３、ファイルを用いたい場合はファイルボタン１４０４を押下する。キャンセルする場合はキャンセルボタン１４０２を押下する。
【００６９】
また、既存の検査リストを保持するかクリアするかを更新時に選択することも考えられる。図１５は、検査リストを受信する際に、更新するか追加するか選択する選択画面１５０１である。内部の検査リストをクリアしてから新たに受信した検査オーダをリストに追加する場合は更新ボタン１５０３。内部の検査リストを保持したまま新たに受信した検査オーダをリストに追加する場合は追加ボタン１５０４。キャンセルする場合はキャンセルボタン１５０２を押下する。
【００７０】
また、上記実施形態の機能を実現する様に各種のデバイスを動作させる様に該各種デバイスと接続された装置あるいはシステム内のコンピュータに、前記実施形態機能（例えば、図２のフローチャートにより実現される機能）を実現するためのソフトウエアのプログラムコードを供給し、そのシステムあるいは装置のコンピュータ（ＣＰＵあるいはＭＰＵ）を格納されたプログラムに従って前記各種デバイスを動作させることによって実施したものも本発明の範疇に含まれる。
【００７１】
またこの場合、前記ソフトウエアのプログラムコード自体が前述した実施形態の機能を実現することになり、そのプログラムコード自体、及びそのプログラムコードをコンピュータに供給するための手段、例えばかかるプログラムコードを格納した記憶媒体は本発明を構成する。
【００７２】
かかるプログラムコードを格納する記憶媒体としては例えばフロッピー（登録商標）ディスク、ハードディスク、光ディスク、光磁気ディスク、ＣＤ−ＲＯＭ、磁気テープ、不揮発性のメモリカード、ＲＯＭ等を用いることが出来る。
【００７３】
またコンピュータが供給されたプログラムコードを実行することにより、前述の実施形態の機能が実現されるだけではなく、そのプログラムコードがコンピュータにおいて稼働しているＯＳ（オペレーティングシステム）、あるいは他のアプリケーションソフト等と共同して前述の実施形態の機能が実現される場合にもかかるプログラムコードは本発明の実施形態に含まれることは言うまでもない。
【００７４】
更に供給されたプログラムコードが、コンピュータの機能拡張ボードやコンピュータに接続された機能拡張ユニットに備わるメモリに格納された後そのプログラムコードの指示に基づいてその機能拡張ボードや機能格納ユニットに備わるＣＰＵ等が実際の処理の一部または全部を行い、その処理によって前述した実施形態の機能が実現される場合も本発明に含まれることは言うまでもない。
【図１】
0005921289.tif 000002
【図２】
0005921289.tif 000003
【図３】
0005921289.tif 000004
【図４】
0005921289.tif 000005
【図５】
0005921289.tif 000006
【図６】
0005921289.tif 000007
【図７】
0005921289.tif 000008
【図８】
0005921289.tif 000009
【図９】
0005921289.tif 000010
【図１０】
0005921289.tif 000011
【図１１】
0005921289.tif 000012
【図１２】
0005921289.tif 000013
【図１３】
0005921289.tif 000014
【図１４】
0005921289.tif 000015
【図１５】
0005921289.tif 000016